(57)【要約】【課題】静電気による帯電破壊の防止を図ることができる配線体を提供する。【解決手段】配線体１０は、第１の絶縁部２０と、第１の絶縁部２０上に形成された第１の導体部３０と、を備え、第１の導体部３０は、相互に交差する第１の導体線３２１と第２の導体線３２２を含み、第１の方向Ｄ１に延在するメッシュ状の第１の電極パターン３１を含み、第１の導体線３２１は、第２の方向Ｄ２に延在しており、第２の導体線３２２は、第２の方向Ｄ２とは異なる第３の方向Ｄ３に延在しており、下記（１）及び（２）式を満たす。  θ１＜θ２  …（１）  Ｗ１＞Ｗ２  …（２）  但し、上記（１）及び（２）式において、θ１は第２の方向Ｄ２と第１の方向Ｄ１とがなす角度であり、θ２は第３の方向Ｄ３と第１の方向Ｄ１とがなす角度であり、Ｗ１は第１の導体線３２１の線幅であり、Ｗ２は第２の導体線３２２の線幅である。【選択図】  図４
2020047172.tif 000002
【特許請求の範囲】
【請求項１】
絶縁部と、
前記絶縁部上に形成された第１の導体部と、を備え、
前記第１の導体部は、相互に交差する第１の導体線と第２の導体線を含み、第１の方向に延在するメッシュ状の第１の電極パターンを含み、
前記第１の導体線は、第２の方向に延在しており、
前記第２の導体線は、前記第２の方向とは異なる第３の方向に延在しており、
下記（１）及び（２）式を満たす配線体。
θ１＜θ２  …（１）
Ｗ１＞Ｗ２  …（２）
但し、上記（１）及び（２）式において、θ１は前記第２の方向と前記第１の方向とがなす角度であり、θ２は前記第３の方向と前記第１の方向とがなす角度であり、Ｗ１は前記第１の導体線の線幅であり、Ｗ２は前記第２の導体線の線幅である。
【請求項２】
請求項１に記載の配線体であって、
下記（３）式を満たす配線体。
０°≦θ１＜４５°  …（３）
【請求項３】
請求項１又は２に記載の配線体であって、
下記（４）式を満たす配線体。
０μｍ＜Ｗ１−Ｗ２≦５μｍ  …（４）
【請求項４】
請求項１〜３の何れか一項に記載の配線体であって、
下記（５）式を満たす配線体。
１＜Ｗ１／Ｗ２≦６  …（５）
【請求項５】
請求項１〜４の何れか一項に記載の配線体であって、
前記第１の導体線と前記第２の導体線とが実質的に直交している配線体。
【請求項６】
請求項１〜５の何れか一項に記載の配線体であって、
前記絶縁部上に設けられ、前記絶縁部を介して前記第１の導体部と対向する第２の導体部を備え、
前記第２の導体部は、相互に交差する第３の導体線と第４の導体線を含み、第４の方向に延在するメッシュ状の第２の電極パターンを含み、
前記第３の導体線は、第５の方向に延在しており、
前記第４の導体線は、前記第５の方向とは異なる第６の方向に延在しており、
下記（５）及び（６）式を満たす配線体。
θ３＜θ４  …（５）
Ｗ３＞Ｗ４  …（６）
但し、上記（５）及び（６）式において、θ３は前記第５の方向と前記第４の方向とがなす角度であり、θ４は前記第６の方向と前記第４の方向とがなす角度であり、Ｗ３は前記第３の導体線の線幅であり、Ｗ４は前記第４の導体線の線幅である。
【請求項７】
請求項６に記載の配線体であって、
前記第１の方向と前記第４の方向とが実質的に直交する配線体。
【請求項８】
請求項６又は７に記載の配線体であって、
前記第１の導体部は、相互に交差する第５の導体線と第６の導体線とを含むメッシュ状の第１のダミーパターンを含み、
前記第２の導体部は、相互に交差する第７の導体線と第８の導体線とを含むメッシュ状の第２のダミーパターンを含み、
平面視において、前記第１〜第８の導体線は、同一の格子を繰り返す格子パターンを形成する配線体。
【請求項９】
請求項１〜８の何れか一項に記載の配線体と、
前記配線体を支持する支持体と、を備えた配線板。
【請求項１０】
請求項９に記載の配線板を備えたタッチセンサ。
【発明の詳細な説明】
【技術分野】
【０００１】
本発明は、配線体、配線板、及びタッチセンサに関するものである。
【背景技術】
【０００２】
導体線を交差させて構成された網目状電極層を有するタッチパネルが知られている（例えば特許文献１参照）。
【先行技術文献】
【特許文献】
【０００３】
【特許文献１】特開２０１６−２１８７４５号公報
【発明の概要】
【発明が解決しようとする課題】
【０００４】
上記のタッチパネルでは、交差する２本の導体線は、互いに同じ幅を有しているとともに、網目状電極層の延在方向に対してそれぞれ４５°傾斜している。このような幅と傾斜を有する導体線から構成された網目状電極層は、静電気によって帯電した場合において、静電気が、網目状電極層に留まり易くなってしまう。その結果、静電気による導体線の帯電破壊が生じ易いという問題があった。
【０００５】
本発明が解決しようとする課題は、静電気による帯電破壊の防止を図ることができる配線体、配線板、及び、タッチセンサを提供することである。
【課題を解決するための手段】
【０００６】
［１］本発明に係る配線体は、絶縁部と、前記絶縁部上に形成された第１の導体部と、を備え、前記第１の導体部は、相互に交差する第１の導体線と第２の導体線を含み、第１の方向に延在するメッシュ状の第１の電極パターンを含み、前記第１の導体線は、第２の方向に延在しており、前記第２の導体線は、前記第２の方向とは異なる第３の方向に延在しており、下記（１）及び（２）式を満たす配線体である。
θ１＜θ２  …（１）
Ｗ１＞Ｗ２  …（２）
但し、上記（１）及び（２）式において、θ１は前記第２の方向と前記第１の方向とがなす角度であり、θ２は前記第３の方向と前記第１の方向とがなす角度であり、Ｗ１は前記第１の導体線の線幅であり、Ｗ２は前記第２の導体線の線幅である。
【０００７】
［２］上記発明において、配線体は、下記（３）式を満たしていてもよい。
０°≦θ１＜４５°  …（３）
【０００８】
［３］上記発明において、配線体は、下記（４）式を満たしていてもよい。
０μｍ＜Ｗ１−Ｗ２≦５μｍ  …（４）
【０００９】
［４］上記発明において、配線体は、下記（５）式を満たしていてもよい。
１＜Ｗ１／Ｗ２≦６  …（５）
【００１０】
［５］上記発明において、前記第１の導体線と前記第２の導体線とが実質的に直交していてもよい。
【００１１】
［６］上記発明において、配線体は、前記絶縁部上に設けられ、前記絶縁部を介して前記第１の導体部と対向する第２の導体部を備え、前記第２の導体部は、相互に交差する第３の導体線と第４の導体線を含み、第４の方向に延在するメッシュ状の第２の電極パターンを含み、前記第３の導体線は、第５の方向に延在しており、前記第４の導体線は、前記第５の方向とは異なる第６の方向に延在しており、下記（５）及び（６）式を満たしていてもよい。
θ３＜θ４  …（５）
Ｗ３＞Ｗ４  …（６）
但し、上記（５）及び（６）式において、θ３は前記第５の方向と前記第４の方向とがなす角度であり、θ４は前記第６の方向と前記第４の方向とがなす角度であり、Ｗ３は前記第３の導体線の線幅であり、Ｗ４は前記第４の導体線の線幅である。
【００１２】
［７］上記発明において、前記第１の方向と前記第４の方向とが実質的に直交していてもよい。
【００１３】
［８］上記発明において、前記第１の導体部は、相互に交差する第５の導体線と第６の導体線とを含むメッシュ状の第１のダミーパターンを含み、前記第２の導体部は、相互に交差する第７の導体線と第８の導体線とを含むメッシュ状の第２のダミーパターンを含み、平面視において、前記第１〜第８の導体線は、同一の格子を繰り返す格子パターンを形成していてもよい。
【００１４】
［９］また、本発明に係る配線板は、上記の配線体と前記配線体を支持する支持体と、を備えた配線板である。
【００１５】
［１０］また、本発明に係るタッチセンサは、上記の配線板を備えたタッチセンサである。
【発明の効果】
【００１６】
本発明における配線体では、第１の導体線の線幅が第２の導体線の線幅よりも太くなっているため（Ｗ１＞Ｗ２）、第２の導体線に比べ第１の導体線の電気抵抗が小さくなっている。また、この第１の導体線は、第２の導体線に比べて、第１の方向（第１の電極パターンの延在方向）となす角度が小さい（θ１＜θ２）。そのため、静電気は、電気抵抗のより低い第１の導体線を通過し、第１の電極パターンの延在方向に流れやすくなるため、静電気による第１及び第２の導体線の帯電破壊の防止を図ることができる。
【図面の簡単な説明】
【００１７】
【図１】図１は、本実施形態におけるタッチセンサを示す平面図である。
【図２】図２は、本実施形態におけるタッチセンサを示す分解斜視図である。
【図３】図３は、図１のIII部分を示す拡大平面図である。
【図４】図４は、図３において、第１の電極パターン及び第１のダミーパターンを抜粋して示した拡大平面図である。
【図５】図５は、図３のV部分の拡大図である。
【図６】図６は、図５のVI-VI線に沿った断面図である。
【図７】図７は、図５のVII-VII線に沿った断面図である。
【図８】図８は、図３において、第２の電極パターン及び第２のダミーパターンを抜粋して示した拡大平面図である。
【図９】図９は、図８のIX部分の拡大図である。
【発明を実施するための形態】
【００１８】
以下、本発明の実施形態を、図面を参照しながら説明する。
【００１９】
図１は本実施形態におけるタッチセンサを示す平面図であり、図２は本実施形態におけるタッチセンサを示す分解斜視図である。なお、便宜上、図１では、第３の絶縁部６０及びカバーパネル７０の図示を省略しているが、実際には、図２に示すように、タッチセンサ１は第３の絶縁部６０及びカバーパネル７０を備えている。図１に示すタッチセンサ１は、投影型の静電容量方式のタッチパネルセンサであり、例えば、表示装置（不図示）等と組み合わせて、タッチ位置を検出する機能を有する入力装置として用いられる。表示装置としては、特に限定されず、液晶ディスプレイ、有機ＥＬディスプレイ、電子ペーパ等を用いることができる。本実施形態における「タッチセンサ１」が本発明における「タッチセンサ」の一例に相当する。
【００２０】
このタッチセンサ１は、表示装置の表示領域に対応するように配置された検出電極と駆動電極（後述する第１の電極パターン３１及び第２の電極パターン５１）を有しており、この２つの電極の間には、外部回路（不図示）から所定電圧が周期的に印加されている。
【００２１】
このようなタッチセンサ１では、例えば、図２に示すように、操作者の指（外部導体）Ｆがタッチセンサ１に接近すると、この外部導体Ｆとタッチセンサ１との間でコンデンサ（電気容量）が形成され、２つの電極間の電気的な状態が変化する。タッチセンサ１は、２つの電極間の電気的な変化に基づいて、操作者の操作位置を検出することができる。
【００２２】
タッチセンサ１は、図２に示すように、配線体１０と支持体８０を含む配線板２と、配線板２の片面に貼り付けられたカバーパネル７０と、を備えている。本実施形態における「配線体１０」が、本発明における「配線体」の一例に相当し、本実施形態における「支持体８０」が、本発明における「支持体」の一例に相当し、本実施形態における「配線板２」が、本発明における「配線板」の一例に相当する。
【００２３】
支持体８０は、矩形状の外形を有し、上記表示装置の視認性を確保するため、透明性を有する材料で構成されている。この支持体８０を構成する材料としては、例えば、ポリエチレンテレフタレート（ＰＥＴ）、ポリエチレンナフタレート（ＰＥＮ）、ポリイミド樹脂（ＰＩ）、ポリエーテルイミド樹脂（ＰＥＩ）、ポリカーボネート（ＰＣ）、ポリエーテルエーテルケトン（ＰＥＥＫ）、液晶ポリマー（ＬＣＰ）、シクロオレフィンポリマー（ＣＯＰ）、シリコーン樹脂（ＳＩ）、アクリル樹脂、フェノール樹脂、エポキシ樹脂、グリーンシート、ガラス等を用いることができる。この支持体８０には、配線体１０が貼り付けられており、支持体８０によって配線体１０が支持されている。この場合、支持体８０は、配線体１０を支持できる程度の剛性を有していることが好ましい。
【００２４】
配線体１０は、図２に示すように、第１の絶縁部２０と、第１の導体部３０と、第２の絶縁部４０と、第２の導体部５０と、第３の絶縁部６０と、を備えている。この配線体１０は、上記表示装置の視認性を確保するために、全体的に透明性（透光性）を有するように構成されている。
【００２５】
本実施形態では、第１の導体部３０が第１の絶縁部２０上に配置されていると共に、第２の導体部５０が第２の絶縁部４０上に配置されており、第１の絶縁部２０に第２の絶縁部４０が積層されている。すなわち、第１の導体部３０が第２の絶縁部４０の一方の側に配置されているのに対し、第２の導体部５０が当該第２の絶縁部４０の他方の側に配置されており、第２の絶縁部４０を介して、第１の導体部３０と第２の導体部５０とが相互に対向している。従って、本実施形態における「第２の絶縁部４０」が、本発明における「絶縁部」の一例に相当し、本実施形態における「第１の導体部３０」が、本発明における「第１の導体部」の一例に相当し、本実施形態における「第２の導体部５０」が、本発明における「第２の導体部」の一例に相当する。
【００２６】
そして、第２の導体部５０は、第１の導体部３０よりも、外部導体Ｆが接触する側に近い位置に配設されている。つまり、第１の導体部３０が表示装置側に位置し、第２の導体部５０が操作者側（外部導体Ｆが接触する面側）に位置している。
【００２７】
第１の絶縁部２０は、矩形状の外形を有し、透明性と電気絶縁性を有する樹脂材料で構成されている。この樹脂材料としては、例えば、エポキシ樹脂、アクリル樹脂、ポリエステル樹脂、ウレタン樹脂、ビニル樹脂、シリコーン樹脂、フェノール樹脂、ポリイミド樹脂等のＵＶ硬化性樹脂、熱硬化性樹脂又は熱可塑性樹脂等を例示することができる。この第１の絶縁部２０の下面が、支持体８０に貼り付けられている。
【００２８】
第１の導体部３０は、第１の絶縁部２０上に設けられており、第１の絶縁部２０によって保持されている。この第１の導体部３０は、導電性ペーストを印刷して硬化させることで形成されている。導電性ペーストの具体例としては、導電性材料及びバインダ樹脂を、水、もしくは溶剤、及び各種添加剤に混合して構成されたものを例示することができる。なお、導電性ペーストからバインダ樹脂を省略してもよい。
【００２９】
導電性材料の具体例としては、銀や銅、ニッケル、スズ、ビスマス、亜鉛、インジウム、パラジウム等の金属材料や、グラファイト、カーボンブラック（ファーネスブラック、アセチレンブラック、ケッチェンブラック）、カーボンナノチューブ、カーボンナノファイバ等のカーボン系材料を挙げることができる。なお、導電性材料として、金属塩を用いてもよい。金属塩の具体例としては、上述の金属の塩を挙げることができる。バインダ樹脂の具体例としては、アクリル樹脂、ポリエステル樹脂、エポキシ樹脂、ビニル樹脂、ウレタン樹脂、フェノール樹脂、ポリイミド樹脂、シリコーン樹脂、フッ素樹脂等を挙げることができる。溶剤の具体例としては、α-テルピネオール、ブチルカルビトールアセテート、ブチルカルビトール、１−デカノール、ブチルセルソルブ、ジエチレングリコールモノエチルエーテルアセテート、テトラデカン等を挙げることができる。
【００３０】
第１の導体部３０は、図１及び図２に示すように、複数の第１の電極パターン３１と、複数の第１の引出線３４と、複数の第１のダミーパターン３８と、を含んでいる。なお、本実施形態における「第１の電極パターン３１」が本発明における「第１の電極パターン」の一例に相当し、本実施形態における「第１のダミーパターン３８」が本発明の「第１のダミーパターン」に相当する。
【００３１】
それぞれの第１の電極パターン３１は、第１の方向Ｄ１（図中Ｘ方向）に延在している。そして、複数の第１の電極パターン３１は、図中Ｙ方向に並べられている。それぞれの第１の電極パターン３１は、図１及び図２に示すように、複数の第１の本体部３２と、複数の第１の連結部３３と、を含んでいる。
【００３２】
第１の電極パターン３１の両端に位置する第１の本体部３２は、三角形状を有しており、その他の第１の本体部３２は、略菱形形状を有している。複数の第１の本体部３２は、第１の電極パターン３１の延在方向（図中Ｘ方向）に並べられている。相互に隣り合う第１の本体部３２同士は、第１の連結部３３を介して電気的に接続されている。この第１の連結部３３における第１の電極パターン３１の電極幅は、第１の本体部３２における第１の電極パターン３１の電極幅よりも細くなっている。
【００３３】
図３は図１のIII部分を示す拡大平面図であり、図４はIII部分において、便宜上、第１の電極パターン３１と第１のダミーパターン３８のみを抜粋して示した拡大平面図である。また、図５は図４のV部分の拡大図であり、図６は図５のVI-VI線に沿った断面図であり、図７は図５のVII-VII線に沿った断面図である。なお、図３において、一点鎖線が第１の電極パターン３１の外形を示しており、二点鎖線が第２の電極パターン５１の外形を示している。
【００３４】
図３に示すように、平面視において、第１の電極パターン３１と、第２の電極パターン５１とは交差しており、第１の電極パターン３１の第１の連結部３３と、第２の電極パターン５１の第２の連結部５３（後述）とが重複している。一方で、平面視において、第１の電極パターン３１の第１の本体部３２と、第２の電極パターン５１の第２の本体部５２（後述）と、は重複していない。
【００３５】
図４に示すように、第１の電極パターン３１は、複数の直線状の第１の導体線３２１と、複数の直線状の第２の導体線３２２を有している。第１の導体線３２１は第２の方向Ｄ２に延在しており、一方で、第２の導体線３２２は、第２の方向Ｄ２とは異なる第３の方向Ｄ３に延在している。本実施形態では、第２の方向Ｄ２と第３の方向Ｄ３とのなす角の角度は９０°であり、第１の導体線３２１と第２の導体線３２２とは直交している。本実施形態における「第１の導体線３２１」が本発明における「第１の導体線」の一例に相当し、本実施形態における「第２の導体線３２２」が本発明における「第２の導体線」の一例に相当する。
【００３６】
複数の第１の導体線３２１は等間隔（等ピッチ）で並べられており、同様に、複数の第２の導体線３２２も等間隔で並べられている。第１の導体線３２１と第２の導体線３２２は、相互に交差して複数の格子を形成しており、第１の本体部３２及び第１の連結部３３は、複数の第１及び第２の導体線３２１，３２２から成る格子により構成されたメッシュ状となっている。これによって、第１の電極パターン３１はメッシュ状になっている。なお、第１の本体部３２及び第１の連結部３３を構成する第１及び第２の導体線３２１，３２２の本数は特に限定されない。
【００３７】
上述の通り、第１の連結部３３における第１の電極パターン３１の電極幅は、第１の本体部３２における第１の電極パターン３１の電極幅よりも細くなっている。換言すると、第１の連結部３３における第１及び第２の導体線３２１，３２２の本数は、第１の本体部３２における第１及び第２の導体線３２１，３２２の本数よりも少なくなっている。従って、第１の電極パターン３１の幅方向に沿って第１の連結部３３を切断した際の第１及び第２の導体線３２１，３２２の断面積の合計Ｓ１は、第１の本体部３２を同様の方向に切断した際の第１及び第２の導体線３２１，３２２の断面積の合計Ｓ２よりも小さくなっている（Ｓ１＜Ｓ２）。
【００３８】
第１の導体線３２１は、第１の方向Ｄ１に対して角度θ１だけ傾斜している。すなわち、図５に示す第１の方向Ｄ１に延在する仮想線ｌ１と、第２の方向Ｄ２に延在する第１の導体線３２１とがなす角度（第１の方向Ｄ１と第２の方向Ｄ２とがなす角度）がθ１となる。この角度θ１は、下記（１）式のように、０°以上４５°未満であることが好ましい。角度θ１が下記式（１）を満たすことで、電気抵抗の低い第１の導体線３２１を通過して静電気が第１の電極パターン３１の延在方向により流れやすくなる。
０°≦θ１＜４５°…  （１）
【００３９】
この第１の導体線３２１は、図６の断面図に示すように、第１の絶縁部２０の凸部２１上に設けられている。第１の導体線３２１は、第１の導体線３２１の幅方向に切断した断面を視た場合に、第１の絶縁部２０から離れるに従い、次第に幅狭となるテーパ形状を有している。この第１の導体線３２１において、凸部２１と接触する第１の接触面３２１ｃは、第２の絶縁部４０と接触する第２の接触面３２１ｄに対して相対的に粗くなっている。具体的には、第１の接触面３２１ｃの面粗さＲａは、０．１μｍ〜３μｍであるのに対して、第２の接触面３２１ｄの面粗さＲａは、０．００１μｍ〜１．０μｍとなっている。この面粗さＲａは、ＪＩＳ法（ＪＩＳ  Ｂ０６０１（２０１３年３月２１日改正））に定義される「算術平均粗さＲａ」である。
【００４０】
また、本実施形態では、第１の導体線３２１の線幅Ｗ１は、延在方向（第２の方向Ｄ２）に沿って一定となっている。なお、第１の導体線３２１の線幅とは、第１の導体線３２１の幅方向に切断した断面を視た場合において最も幅広となる部分の線幅のことを意味し、図６の第１の接触面３２１ｃにおける線幅Ｗ１に相当する。第１の導体線３２１の線幅Ｗ１は、０．５μｍより大きく２０μｍ以下であることが好ましい（０．５μｍ＜Ｗ１≦２０μｍ）。線幅Ｗ１を０．５μｍより大きくすることで、第１の導体線３２１の導電性をより向上させることができる。線幅Ｗ１を２０μｍ以下とすることで、第１の導体線３２１がより視認されにくくなるため、タッチセンサ１の視認性がより向上する。また、線幅Ｗ１は１μｍ以上１０μｍ以下であることがより好ましく（１μｍ≦Ｗ１≦１０μｍ）、７μｍ以下であることが特に好ましい（Ｗ１≦７μｍ）。
【００４１】
図５に戻り、第２の導体線３２２は、第１の方向Ｄ１に対して角度θ２だけ傾斜している。すなわち、図５に示す第１の方向Ｄ１に延在する仮想線ｌ１と、第３の方向Ｄ３に延在する第２の導体線３２２とがなす角度（第１の方向Ｄ１と第３の方向Ｄ３とがなす角度）がθ２となる。本実施形態では、この角度θ２が、下記（２）式に示すように、上記の角度θ１に対して大きくなっている。すなわち、第１の導体線３２１は、第２の導体線３２２よりも、第１の方向Ｄ１に対してより平行に近づいている。
θ１＜θ２  …（２）
【００４２】
第２の導体線３２２は、図７の断面図に示すように、第１の絶縁部２０の凸部２１上に設けられている。第２の導体線３２２は、第２の導体線３２２の幅方向に切断した断面を視た場合に、第１の絶縁部２０から離れるに従い、次第に幅狭となるテーパ形状を有している。この第２の導体線３２２において、凸部２１と接触する第１の接触面３２２ｃは、第２の絶縁部４０と接触する第２の接触面３２２ｄに対して相対的に粗くなっている。具体的には、第１の接触面３２２ｃの面粗さＲａは、０．１μｍ〜３μｍであるのに対して、第２の接触面３２２ｄの面粗さＲａは、０．００１μｍ〜１．０μｍとなっている。この面粗さＲａは、ＪＩＳ法（ＪＩＳ  Ｂ０６０１（２０１３年３月２１日改正））に定義される「算術平均粗さＲａ」である。
【００４３】
また、第２の導体線３２２の線幅Ｗ２は、延在方向（第３の方向Ｄ３）に沿って一定となっている。なお、第２の導体線３２２の線幅とは、第２の導体線３２２の幅方向に切断した断面を視た場合において最も幅広となる部分の線幅のことを意味し、図７の第１の接触面３２２ｃにおける線幅Ｗ２に相当する。この線幅Ｗ２は、下記（３）式のように、第１の導体線３２１の線幅Ｗ１よりも細くなっている。
Ｗ１＞Ｗ２  …（３）
【００４４】
この第２の導体線３２２の線幅Ｗ２は、０．５μｍ以上２０μｍ未満であることが好ましい（０．５μｍ≦Ｗ２＜２０μｍ）。線幅Ｗ２を０．５μｍ以上とすることで、第２の導体線３２２の導電性をより向上させることができる。線幅Ｗ２を２０μｍ未満とすることで、第２の導体線３２２がより視認されにくくなるため、タッチセンサ１の視認性がより向上する。また、線幅Ｗ２は１μｍ以上１０μｍ以下であることがより好ましく（１μｍ≦Ｗ２≦１０μｍ）、７μｍ以下であることが特に好ましい（Ｗ２≦７μｍ）。
【００４５】
さらに、線幅Ｗ１と線幅Ｗ２の差を下記（４）式の通り、５μｍ以下とすることで、第１の導体線３２１がより骨見えし難くなる。これにより、タッチセンサ１の視認性をより向上することができる。
０μｍ＜Ｗ１−Ｗ２≦５μｍ  …（４）
【００４６】
また、線幅Ｗ１と線幅Ｗ２は、下記（５）式を満たしていることが好ましく、下記（６）式を満たしていることがより好ましく、下記（７）式を満たしていることが特に好ましい。これにより、第１の導体線３２１がより骨見えし難くなり、タッチセンサ１の視認性をより向上することができる。
１＜Ｗ１／Ｗ２≦６  …（５）
１＜Ｗ１／Ｗ２≦２  …（６）
１＜Ｗ１／Ｗ２≦１．５  …（７）
【００４７】
図１及び図２に示すように、それぞれの第１の電極パターン３１の長手方向一端には第１の引出線３４の一端が接続されている。この第１の引出線３４の他端が、外部回路と電気的に接続される。なお、第１の電極パターン３１の数は特に限定されず、任意に設定することができ、第１の引出線３４の数も特に限定されず、第１の電極パターン３１の数に応じて設定される。
【００４８】
複数の第１のダミーパターン３８は、図２に示すように、第１の絶縁部２０において第１の電極パターン３１が形成されていない領域に配置されており、第１の電極パターン３１とは電気的に絶縁されている。本実施形態においては、複数の第１の電極パターン３１の間に、第１のダミーパターン３８が配置されており、第１のダミーパターン３８は、第２の絶縁部４０を介して第２の電極パターン５１と対向している。
【００４９】
また、第１のダミーパターン３８と、第１の電極パターン３１と、第１の引出線３４とは、実質的に同一の平面上に設けられている。図３に示すように、第１のダミーパターン３８と、第１の電極パターン３１とは、同一平面上で、同一の格子を繰り返す一様な格子パターンを形成している。
【００５０】
それぞれの第１のダミーパターン３８は、図４に示すように、相互に交差する直線状の第１のダミー細線３８１と第２のダミー細線３８２を有している。本実施形態における「第１のダミー細線３８１」が本発明の「第５の導体線」の一例に相当し、本実施形態における「第２のダミー細線３８２」が本発明の「第６の導体線」の一例に相当する。
【００５１】
第１のダミー細線３８１は、第１の導体線３２１の断面形状（図６参照）と実質的に同一の断面形状を有しており、第１の導体線３２１と同様に、第１の絶縁部２０の凸部２１上に形成されている。第１のダミー細線３８１は、第１の導体線３２１と同様に、第２の方向Ｄ２に延在しており、第１のダミー細線３８１は、第１の導体線３２１の延長線上（仮想的な延長線上）に配置されている。従って、第１のダミー細線３８１の第１の方向となす角度はθ１となり、線幅はＷ１となっている。なお、第１のダミー細線３８１の第１の方向となす角度及び線幅は第１の導体線と異なっていてもよい。
【００５２】
一方、第２のダミー細線３８２は、第２の導体線３２２の断面形状（図７参照）と実質的に同一の断面形状を有しており、第２の導体線３２２と同様に、第１の絶縁部２０の凸部２１上に形成されている。第２のダミー細線３８２は、第２の導体線３２２と同様に、第３の方向Ｄ３に延在しており、第２のダミー細線３８２は、第２の導体線３２２の延長線上（仮想的な延長線上）に配置されている。従って、第２のダミー細線３８２の第１の方向となす角度はθ２となり、線幅はＷ２となっている。なお、第２のダミー細線３８２の第１の方向となす角度及び線幅は第２の導体線と異なっていてもよい。
【００５３】
第１のダミー細線３８１は、図３の平面視において、第４の導体線５２２（後述）と略平行に延在しており、第４の導体線５２２同士の間に位置している。一方で、第２のダミー細線３８２は、第３の導体線５２１（後述）と略平行に延在しており、第３の導体線５２１同士の間に位置している。本実施形態では、第１のダミー細線３８１は、隣り合う第４の導体線５２２同士の間隔を二等分するように延在しており、同様に、第２のダミー細線３８２は、隣り合う第３の導体線５２１同士の間隔を二等分するように延在している。
【００５４】
また、図４に示すように、第１のダミー細線３８１と第１の導体線３２１との間、及び第２のダミー細線３８２と第２の導体線３２２との間には、断線部３８３が形成されている。この断線部３８３によって、第１のダミー細線３８１と第１の導体線３２１とが電気的に絶縁されているとともに、第２のダミー細線３８２と第２の導体線３２２とが電気的に絶縁されている。
【００５５】
図２に示すように、第２の絶縁部４０は、矩形状の外形を有し、透明性を有する樹脂材料で構成されている。この透明性を有する樹脂材料としては、例えば、上記の第１の絶縁部２０を構成する樹脂材料と同様の材料を用いることができる。
【００５６】
第２の絶縁部４０は、第１の導体部３０を覆うように第１の絶縁部２０上に設けられている。この第２の絶縁部４０には、切欠部４１が形成されている。この切欠部４１からは、第１の引出線３４の他端が露出している。
【００５７】
第２の導体部５０は、第２の絶縁部４０上に設けられており、第２の絶縁部４０によって保持されている。この第２の導体部５０は、導電性ペーストを印刷して硬化させることで形成されている。導電性ペーストの具体例としては、第１の導体部３０を構成する導電ペーストと同様のものを例示することができる。
【００５８】
図１及び図２に示すように、第２の導体部５０は、複数の第２の電極パターン５１と、複数の第２の引出線５４と、複数の第２のダミーパターン５８と、を含んでいる。本実施形態における「第２の電極パターン５１」が本発明における「第２の電極パターン」の一例に相当し、本実施形態における「第２のダミーパターン５８」が本発明における「第２のダミーパターン」の一例に相当する。
【００５９】
それぞれの第２の電極パターン５１は、第４の方向Ｄ４（図中Ｙ方向）に延在しており、第４の方向Ｄ４は上述の第１の方向Ｄ１と実質的に直交している。換言すると、透過平面視において、第２の電極パターン５１は、第１の電極パターン３１と実質的に直交している。このように、第１の方向Ｄ１と第４の方向Ｄ４とが実質的に直交していることで、第１〜第４の導体線３２１，３２２，５２１，５２２がバランス良く配置され、配線密度が全体的により均一となる。その結果、タッチセンサ１の視認性をより向上させることができる。特に本実施形態のように、第１の電極パターン３１と第２の電極パターン５１とが実質的に同一の形状のパターンを有している場合、タッチセンサ１の視認性を特に向上させることができる。そして、複数の第２の電極パターン５１は、図中Ｘ方向に並べられている。それぞれの第２の電極パターン５１は、複数の第２の本体部５２と、複数の第２の連結部５３と、を含んでいる。
【００６０】
図２に示すように、第２の電極パターン５１の両端に位置する第２の本体部５２は、三角形状を有しており、その他の第２の本体部５２は、略菱形形状を有している。第２の電極パターン５１の複数の第２の本体部５２は、第２の電極パターン５１の延在方向（第４の方向Ｄ４）に並べられている。相互に隣り合う第２の本体部５２同士は、第２の連結部５３を介して電気的に接続されている。この第２の連結部５３における第２の電極パターン５１の電極幅は、第２の本体部５２における第２の電極パターン５１の電極幅よりも細くなっている。
【００６１】
図８は図３において第２の電極パターンと第２のダミーパターンのみを取り出して示した拡大平面図であり、図９は図８のIX部分の拡大図である。図８に示すように、第２の電極パターン５１は、複数の直線状の第３の導体線５２１と、複数の直線状の第４の導体線５２２とを有している。なお、第２の本体部５２を構成する第３及び第４の導体線５２１，５２２の本数は特に限定されない。本実施形態における「第３の導体線５２１」が、本発明における「第３の導体線」の一例に相当し、本実施形態における「第４の導体線５２２」が、本発明における「第４の導体線」の一例に相当する。
【００６２】
第３の導体線５２１は第５の方向Ｄ５に延在しており、一方で、第４の導体線５２２は、第５の方向Ｄ５とは異なる第６の方向Ｄ６に延在している。本実施形態では、第５の方向Ｄ５と第６の方向Ｄ６とのなす角の角度は９０°であり、第３の導体線５２１と第４の導体線５２２とは直交している。
【００６３】
複数の第３の導体線５２１は等間隔（等ピッチ）で並べられており、同様に、複数の第４の導体線５２２も等間隔で並べられている。第３の導体線５２１と第４の導体線５２２は、相互に交差して複数の格子を形成しており、第２の本体部５２及び第２の連結部５３は、複数の第３及び第４の導体線５２１，５２２から成る格子により構成されたメッシュ状となっている。これによって、第２の電極パターン５１はメッシュ状になっている。なお、第２の本体部５２及び第２の連結部５３を構成する第３及び第４の導体線５２１，５２２の本数は特に限定されない。
【００６４】
上述の通り、第２の連結部５３における第２の電極パターン５１の電極幅は、第２の本体部５２における第２の電極パターン５１の電極幅よりも細くなっている。換言すると、第２の連結部５３における第３及び第４の導体線５２１，５２２の本数は、第２の本体部５２における第３及び第４の導体線５２１，５２２の本数よりも少なくなっている。従って、第２の電極パターン５１の幅方向に沿って第２の連結部５３を切断した際の第３及び第４の導体線５２１，５２２の断面積の合計Ｓ３は、第２の本体部５２を同様の方向に切断した際の第３及び第４の導体線５２１，５２２の断面積の合計Ｓ４よりも小さくなっている（Ｓ３＜Ｓ４）。
【００６５】
第３の導体線５２１は、第４の方向Ｄ４に対して角度θ３だけ傾斜している。すなわち、図９に示す第４の方向Ｄ４に延在する仮想線ｌ２と、第５の方向Ｄ５に延在する第３の導体線５２１とがなす角度（第４の方向Ｄ４と第５の方向Ｄ５とがなす角度）がθ３となる。この角度θ３は、上記（１）式のθ１と同様に、０°以上４５°未満であることが好ましい。
【００６６】
この第３の導体線５２１は、第１の導体線３２１の断面形状（図６参照）と実質的に同一の断面形状を有しており、第１の導体線３２１と同様に、第２の絶縁部４０の凸部上に形成されている。よって、第３の導体線５２１は、第１の導体線３２１の線幅Ｗ１と同様の線幅Ｗ３を有している。
【００６７】
第４の導体線５２２は、第４の方向Ｄ４に対して角度θ４だけ傾斜している。すなわち、第４の方向Ｄ４に延在する仮想線ｌ２と、第６の方向Ｄ６に延在する第４の導体線５２２とがなす角度（第４の方向Ｄ４と第６の方向Ｄ６とがなす角度）がθ４となる。本実施形態では、この角度θ４が、下記（８）式に示すように、上記の角度θ３に対して大きくなっている。すなわち、第３の導体線５２１は、第４の導体線５２２よりも、第４の方向Ｄ４に対してより平行に近づいている。
θ３＜θ４  …（８）
【００６８】
この第４の導体線５２２は、第２の導体線３２２の断面形状（図７参照）と実質的に同一の断面形状を有しており、第３の導体線５２１と同様に、第２の絶縁部４０の凸部上に形成されている。よって、第４の導体線５２２は、第２の導体線３２２の線幅Ｗ２と同様の線幅Ｗ４を有している。この線幅Ｗ４は、下記（９）式のように、第３の導体線５２１の線幅Ｗ３よりも細くなっている。
Ｗ３＞Ｗ４  …（９）
【００６９】
さらに、線幅Ｗ３と線幅Ｗ４の差を下記（１０）式の通り、５μｍ以下とすることで、第３の導体線５２１がより骨見えしにくくなる。これにより、タッチセンサ１の視認性をより向上することができる。
０μｍ＜Ｗ３−Ｗ４≦５μｍ  …（１０）
【００７０】
また、線幅Ｗ３と線幅Ｗ４は、下記（１１）式を満たしていることが好ましく、下記（１２）式を満たしていることがより好ましく、下記（１３）式を満たしていることが特に好ましい。これにより、タッチセンサ１の視認性をより向上することができる。
１＜Ｗ３／Ｗ４≦６  …（１１）
１＜Ｗ３／Ｗ４≦２  …（１２）
１＜Ｗ３／Ｗ４≦１．５  …（１３）
【００７１】
また、第１の電極パターン３１の第１の導体線３２１の線幅Ｗ１と、第２の電極パターン５１の第４の導体線５２２の線幅Ｗ４の差も、下記（１４）式の通り、５μｍ以下であることが好ましい。同様に、第２の電極パターン５１の第３の導体線５２１の線幅Ｗ３と、第１の電極パターン３１の第２の導体線３２２の線幅Ｗ２の差も、下記（１５）式の通り、５μｍ以下であることが好ましい。
０μｍ＜Ｗ１−Ｗ４≦５μｍ  …（１４）
０μｍ＜Ｗ３−Ｗ２≦５μｍ  …（１５）
【００７２】
図１及び図２に示すように、それぞれの第２の電極パターン５１の長手方向一端には、第２の引出線５４の一端が接続されている。それぞれの第２の引出線５４の他端は配線体１０の縁部に位置しており、この第２の引出線５４の他端が、外部回路と電気的に接続される。
【００７３】
第２のダミーパターン５８は、図２に示すように、第２の絶縁部４０において第２の電極パターン５１が形成されていない領域に配置されており、第２の電極パターン５１とは電気的に絶縁されている。本実施形態においては、複数の第２の電極パターン５１の間に、第２のダミーパターン５８が配置されており、第２のダミーパターン５８は、第２の絶縁部４０を介して第１の電極パターン３１と対向している。
【００７４】
また、第２のダミーパターン５８と、第２の電極パターン５１と、第２の引出線５４とは、実質的に同一の平面上に設けられている。図８に示すように、第２のダミーパターン５８と、第２の電極パターン５１とは、同一平面上で、同一の格子を繰り返す一様な格子パターンを形成している。
【００７５】
それぞれの第２のダミーパターン５８は、図８に示すように、相互に交差する直線状の第３のダミー細線５８１と第４のダミー細線５８２を有している。本実施形態における「第３のダミー細線５８１」が本発明の「第７の導体線」の一例に相当し、本実施形態における「第４のダミー細線５８２」が本発明の「第８の導体線」の一例に相当する。
【００７６】
第３のダミー細線５８１は、第３の導体線５２１の断面形状（図６参照）と実質的に同一の断面形状を有しており、第３の導体線５２１と同様に、第２の絶縁部４０の凸部上に形成されている。第３のダミー細線５８１は、第３の導体線５２１と同様に、第５の方向Ｄ５に延在しており、第３のダミー細線５８１は、第３の導体線５２１の延長線上（仮想的な延長線上）に配置されている。従って、第３のダミー細線５８１の第４の方向Ｄ４となす角度はθ３となり、線幅はＷ３となっている。なお、第３のダミー細線５８１の第４の方向Ｄ４となす角度及び線幅は第３の導体線５２１と異なっていてもよい。
【００７７】
一方、第４のダミー細線５８２は、第４の導体線５２２の断面形状（図７参照）と実質的に同一の断面形状を有しており、第４の導体線５２２と同様に、第２の絶縁部４０の凸部上に形成されている。第４のダミー細線５８２は、第４の導体線５２２と同様に、第６の方向Ｄ６に延在しており、第４のダミー細線５８２は、第４の導体線５２２の延長線上（仮想的な延長線上）に配置されている。従って、第４のダミー細線５８２の第４の方向Ｄ４となす角度はθ４となり、線幅はＷ４となっている。なお、第４のダミー細線５８２の第４の方向Ｄ４となす角度及び線幅は第４の導体線５２２と異なっていてもよい。
【００７８】
第３のダミー細線５８１は、図３の平面視において、第２の導体線３２２と略平行に延在しており、第２の導体線３２２同士の間に位置している。一方で、第４のダミー細線５８２は、第１の導体線３２１と略平行に延在しており、第１の導体線３２１同士の間に位置している。本実施形態では、第３のダミー細線５８１は、隣り合う第２の導体線３２２同士の間隔を二等分するように延在しており、同様に、第４のダミー細線５８２は、隣り合う第１の導体線３２１同士の間隔を二等分するように延在している。
【００７９】
また、図８に示すように、第３のダミー細線５８１と第３の導体線５２１との間、及び第４のダミー細線５８２と第４の導体線５２２との間には、断線部５８３が形成されている。この断線部５８３によって、第３のダミー細線５８１と第３の導体線５２１とが電気的に絶縁されているとともに、第４のダミー細線５８２と第４の導体線５２２とが電気的に絶縁されている。
【００８０】
図３に示すように、第１の電極パターン３１、第１のダミーパターン３８、第２の電極パターン５１、及び第２のダミーパターン５８により、タッチセンサ１の平面視において、見かけ上同一の格子を繰り返す格子パターンＡが形成される（図３参照）。この同一の格子は、第１の電極パターン３１と第２のダミーパターン５８とが重なって形成される格子と、第２の電極パターン５１と第１のダミーパターン３８とが重って形成される格子と、第１の電極パターン３１の第１の連結部３３の一部と第２の電極パターン５１の第２の連結部５３の一部とが重なって形成される格子と、を含んでいる。
【００８１】
換言すれば、同一の格子は、第１〜第４の導体線３２１，３２２，５２１，５２２及び第１〜第４のダミー細線３８１，３８２，５８１，５８２によって形成されている。格子パターンＡでは、線幅が相対的に太い導体線（第１及び第３の導体線３２１，５２１、第１及び第３のダミー細線３８１，５８１）と、線幅が相対的に細い導体線（第２及び第４の導体線３２２，５２２、第２及び第４のダミー細線３８２，５８２）とが、交互に配置されている。本実施形態では、このような格子パターンＡが形成されているため、タッチセンサ１の視認性をより向上させることができる。
【００８２】
図２に戻り、第３の絶縁部６０は、矩形状の外形を有し、透明性を有する樹脂材料で構成されている。この透明性を有する樹脂材料としては、例えば、上記の第１の絶縁部２０を構成する樹脂材料と同様の材料を用いることができる。この第３の絶縁部６０を構成する材料としては、例えば、シリコン樹脂系接着剤、アクリル樹脂系接着剤、ウレタン樹脂系接着剤、ポリエステル樹脂系接着剤等の接着剤を用いることができる。
【００８３】
この第３の絶縁部６０は、第２の導体部５０を覆うように第２の絶縁部４０上に設けられている。この第３の絶縁部６０には、切欠部６１が形成されている。この切欠部６１からは、第２の引出線５４の他端が露出している。また、この切欠部６１は上述の第２の絶縁部４０の切欠部４１と重なっており、当該切欠部６１から第１の引出線３４の他端も露出している。
【００８４】
カバーパネル７０は、図示しない接着層を介して配線体１０に貼り付けられている。カバーパネル７０は、図２に示すように、可視光線を透過することが可能な透明部７１と、可視光線を遮蔽する遮蔽部７２とを備えている。透明部７１は、矩形状に形成され、遮蔽部７２は、透明部７１の周囲に矩形枠状に形成されている。
【００８５】
カバーパネル７０を構成する透明な材料としては、たとえば、ソーダライムガラスやホウケイ酸ガラス等のガラス材料、ポリメタクリル酸メチル（ＰＭＭＡ）、ポリカーボネート（ＰＣ）等の樹脂材料を例示することができる。また、遮蔽部７２は、カバーパネル７０の裏面の外周部に、例えば、黒色のインクを塗布することにより形成されている。カバーパネル７０の裏側（第３の絶縁部６０と接する側）には、図示しない接着層が設けられている。
【００８６】
以上のように、本実施形態では、上記（２）式に示すように、第１の導体線３２１の線幅Ｗ１が第２の導体線３２２の線幅Ｗ２よりも太くなっているため（Ｗ１＞Ｗ２）、第２の導体線３２２に比べ第１の導体線３２１の電気抵抗が小さくなっている。また、この第１の導体線３２１は、上記（３）式に示すように、第２の導体線３２２に比べて、第１の方向Ｄ１（第１の電極パターン３１の延在方向）となす角度が小さい（θ１＜θ２）。すなわち、第１の導体線３２１は、第１の電極パターン３１の延在方向に対してより平行に近づいている。
【００８７】
そのため、第１の電極パターン３１が静電気は、電気抵抗のより低い第１の導体線３２１を通過し、第１の電極パターン３１の延在方向に流れやすくなるため、静電気による第１及び第２の導体線３２１，３２２の帯電破壊の防止を図ることができる。さらに、第１の電極パターン３１に突発的な過電流が流れた際にも、当該過電流は電気抵抗のより低い第１の導体線３２１を通過する。これにより、第１の導体線３２１及び第２の導体線３２２が過電流により破壊されるのを抑制することができる。これらの効果は、上記（８）、（９）式を満たす第２の電極パターン５１においても同様である。
【００８８】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００８９】
例えば、上述の実施形態では、第１〜第４の導体線３２１，３２２，５２１，５２２と第１〜第４のダミー細線３８１，３８２，５８１，５８２が直線に形成されているが、特にこれに限定されず、例えば、曲線、破線、ジグザグ線等にしてもよい。
【００９０】
また、上述の実施形態では、第１及び第２の電極パターン３１，５１は、第１及び第２の本体部３２，５２を含む幅広部分と、第１及び第２の連結部３３，５３を含む幅狭部分と、を有しているが、特にこれに限定されない。例えば、第１及び第２の電極パターン３１，５１は、幅が一定の帯形状を有するものであってよい。
【００９１】
また、上述の実施形態では、第１及び第２の引出線３４，５４は１本の導体線から構成されているが、これに限定されない。第１及び第２の引出線３４，５４は、互いに交差する複数の導体線を含むメッシュ形状であってもよい。
【００９２】
また、第１及び第２の導体部３１，５１は、第１及び第２のダミーパターン３８，５８を含んでいなくてもよい。
【００９３】
また、例えば、第１の絶縁部２０の下面を実装対象（フィルム、表面ガラス、偏光板、ディスプレイガラス等）に接着して、配線体１０を実装対象により支持させる形態として配線体を構成する場合、当該第１の絶縁部２０の下面に剥離シートを設け、実装時に当該剥離シートを剥がして実装対象に接着して実装する形態としてもよい。また、第１の絶縁部２０側から配線体１０を覆う樹脂部をさらに設け、当該樹脂部を介して、上述の実装対象に接着して実装する形態としてもよい。これらの場合、配線体を実装する実装対象が本発明の支持体の一例に相当する。また、第３の絶縁部６０側を上述の実装対象に接着して実装する形態としてもよい。この場合、カバーパネル７０が実装対象となって支持体の一例となる。
【００９４】
さらに、上述の実施形態では、配線体又は配線板は、タッチセンサに用いられるとして説明したが、特にこれに限定されない。例えば、配線体に通電して抵抗加熱等で発熱させることにより当該配線体をヒーターとして用いてもよい。また、配線体の導体部の一部を接地することにより当該配線体を電磁遮蔽シールドとして用いてもよい。また、配線体をアンテナとして用いてもよい。この場合、配線体を実装する実装対象が本発明の支持体の一例に相当する。
【符号の説明】
【００９５】
１…タッチセンサ
２…配線板
１０…配線体
２０…第１の絶縁部
２１…凸部
３０…第１の導体部
３１…第１の電極パターン
３２…第１の本体部
３２１…第１の導体線
３２１ｃ…第１の接触面
３２１ｄ…第２の接触面
３２２…第２の導体線
３２２ｃ…第１の接触面
３２２ｄ…第２の接触面
３３…第１の連結部
３４…第１の引出線
３８…第１のダミーパターン
３８１…第１のダミー細線
３８２…第２のダミー細線
３８３…断線部
４０…第２の絶縁部
４１…切欠部
５０…第２の導体部
５１…第２の電極パターン
５２…第２の本体部
５２１…第３の導体線
５２２…第４の導体線
５３…第２の連結部
５４…第２の引出線
５８…第２のダミーパターン
５８１…第３のダミー細線
５８２…第４のダミー細線
５８３…断線部
６０…第３の絶縁部
６１…切欠部
７０…カバーパネル
７１…透明部
７２…遮蔽部
８０…支持体
Ａ…格子パターン
Ｆ…外部導体
【図１】
2020047172.tif 000003
【図２】
2020047172.tif 000004
【図３】
2020047172.tif 000005
【図４】
2020047172.tif 000006
【図５】
2020047172.tif 000007
【図６】
2020047172.tif 000008
【図７】
2020047172.tif 000009
【図８】
2020047172.tif 000010
【図９】
2020047172.tif 000011